(57)【特許請求の範囲】
【請求項１】
６１０〜６３０ｎｍの波長領域において、全波長領域における光強度が最大となるピークを有し、そのピーク波長をλ１［ｎｍ］とし、ピーク波長λ１における光強度の５０％の光強度となる、ピーク波長λ１よりも短波長側でピーク波長λ１に最も近い波長をλ２［ｎｍ］およびピーク波長λ１よりも長波長側でピーク波長λ１に最も近い波長をλ３［ｎｍ］とするとき、λ１−７０［ｎｍ］≦λ２≦λ１−３０［ｎｍ］、およびλ１＋３０［ｎｍ］≦λ３≦λ１＋７０［ｎｍ］の関係を満たす発光スペクトルの光を発する光合成促進光源であって、４２０〜４９０ｎｍの波長領域においてピークを有し、そのピーク波長をλ４［ｎｍ］とし、ピーク波長λ１における光強度を１とするとき、ピーク波長λ４における光強度が０．３以上０．５以下であり、５４０〜７００ｎｍの波長領域における光量子束に対する、４２０〜４９０ｎｍの波長領域における光量子束の割合が、１０％以上２０％以下であることを特徴とする光合成促進光源。
【請求項２】
６１０〜６３０ｎｍの波長領域において、全波長領域における光強度が最大となるピークを有し、そのピーク波長をλ１［ｎｍ］とし、ピーク波長λ１における光強度の５０％の光強度となる、ピーク波長λ１よりも短波長側でピーク波長λ１に最も近い波長をλ２［ｎｍ］およびピーク波長λ１よりも長波長側でピーク波長λ１に最も近い波長をλ３［ｎｍ］とするとき、λ１−７０［ｎｍ］≦λ２≦λ１−３０［ｎｍ］、およびλ１＋３０［ｎｍ］≦λ３≦λ１＋７０［ｎｍ］の関係を満たす発光スペクトルの光を発する光合成促進光源であって、
ピーク波長λ１における光強度を１とするとき、４９０〜５４０ｎｍの波長領域における光強度の平均値が０．１以上０．３以下であり、４２０〜４９０ｎｍの波長領域における光量子束に対する、４９０〜５４０ｎｍの波長領域における光量子束の割合が、４５％以上６５％以下であることを特徴とする光合成促進光源。
【請求項３】
６１０〜６３０ｎｍの波長領域において、全波長領域における光強度が最大となるピークを有し、そのピーク波長をλ１［ｎｍ］とし、ピーク波長λ１における光強度の５０％の光強度となる、ピーク波長λ１よりも短波長側でピーク波長λ１に最も近い波長をλ２［ｎｍ］およびピーク波長λ１よりも長波長側でピーク波長λ１に最も近い波長をλ３［ｎｍ］とするとき、λ１−７０［ｎｍ］≦λ２≦λ１−３０［ｎｍ］、およびλ１＋３０［ｎｍ］≦λ３≦λ１＋７０［ｎｍ］の関係を満たす発光スペクトルの光を発する光合成促進光源であって、
３８０〜４２０ｎｍの波長領域においてピークを有し、そのピーク波長をλ５［ｎｍ］とし、ピーク波長λ１における光強度を１とするとき、ピーク波長λ５における光強度が０
．２以上０．４以下であり、５４０〜７００ｎｍの波長領域における光量子束に対する、３８０〜４２０ｎｍの波長領域における光量子束の割合が、１％以上１０％以下であることを特徴とする光合成促進光源。
【請求項４】
６１０〜６３０ｎｍの波長領域において、全波長領域における光強度が最大となるピークを有し、そのピーク波長をλ１［ｎｍ］とし、ピーク波長λ１における光強度の５０％の光強度となる、ピーク波長λ１よりも短波長側でピーク波長λ１に最も近い波長をλ２［ｎｍ］およびピーク波長λ１よりも長波長側でピーク波長λ１に最も近い波長をλ３［ｎｍ］とするとき、λ１−７０［ｎｍ］≦λ２≦λ１−３０［ｎｍ］、およびλ１＋３０［ｎｍ］≦λ３≦λ１＋７０［ｎｍ］の関係を満たす発光スペクトルの光を発する光合成促進光源であって、
色温度が１９００〜２１００［Ｋ］の範囲であり、平均演色評価数Ｒａが７０〜７５の範囲であり、発光スペクトルのＣＩＥ色度座標ｘ、ｙが、０．４≦ｘ≦０．５および０．３≦ｙ≦０．４の関係を満たすことを特徴とする光合成促進光源。
【請求項５】
５４０〜７００ｎｍの波長領域における光量子束に対する、６１０〜６３０ｎｍの波長領域における光量子束の割合が、１５％以上２５％以下であることを特徴とする請求項１乃至請求項４のいずれかに記載の光合成促進光源。
【発明の詳細な説明】
【技術分野】
【０００１】
本発明は、植物および藻類など光合成色素を有する生物において行われる光合成に好適な光を発する光合成促進光源に関するものである。
【背景技術】
【０００２】
近年、閉鎖環境で太陽光を一切利用せず、蛍光灯、ナトリウムランプおよび発光ダイオード（ＬＥＤ）などの人工的な光を用いて、野菜などの植物を栽培する植物工場の技術が発展している。植物を効率的に育成するためには、植物が有しているクロロフィルの光吸収スペクトルを考慮して、赤色光と青色光とを適切なバランスで含んでいる光を照射することが好ましいことが知られており、これに関連して、ＬＥＤを用いた植物育成用の光源に関する技術が種々提案されている（例えば、特許文献１参照）。
【先行技術文献】
【特許文献】
【０００３】
【特許文献１】特開２０１３−１４７５８４号公報
【発明の概要】
【発明が解決しようとする課題】
【０００４】
特許文献１によれば、赤色光の波長領域において６６０ｎｍ付近にピークがある発光スペクトルを有する光を発する光源が提案されている。しかしながら、特許文献１に提案されている光源によれば、その発光ピークの半値幅が１００ｎｍ程度であるため、光合成にはあまり寄与しない７００ｎｍ以上の波長領域の光、特に近赤外線が多く含まれている。近赤外線は、水に吸収されて熱エネルギーに変化するため、特許文献１において提案されている光源を用いると、植物中の水を昇温させてしまい、光合成の速度を低下させるおそれがあるという問題がある。
【０００５】
一方、赤色光の波長領域における６７０ｎｍ付近にピーク波長を有し、その発光ピークの半値幅が３０ｎｍ未満であるような光源が、従来から広く利用されている。しかしながら、このような光源では、特定の波長の光エネルギーのみが過剰に育成植物に供給されることとなるため、必ずしも植物の育成上好ましいものとはなっていない。
【０００６】
本発明は、上記の問題点に鑑みてなされたものであり、その目的は、植物および藻類など光合成色素を有する生物において行われる光合成に好適な光を発する光合成促進光源を提供することにある。
【課題を解決するための手段】
【０００７】
本発明の一つの態様による光合成促進光源は、６１０〜６３０ｎｍの波長領域において、全波長領域における光強度が最大となるピークを有し、そのピーク波長をλ１［ｎｍ］とし、ピーク波長λ１における光強度の５０％の光強度となる、ピーク波長λ１よりも短波長側でピーク波長λ１に最も近い波長をλ２［ｎｍ］およびピーク波長λ１よりも長波長側でピーク波長λ１に最も近い波長をλ３［ｎｍ］とするとき、λ１−７０［ｎｍ］≦λ２≦λ１−３０［ｎｍ］、およびλ１＋３０［ｎｍ］≦λ３≦λ１＋７０［ｎｍ］の関係を満たす発光スペクトルの光を発するものであり、４２０〜４９０ｎｍの波長領域においてピークを有し、そのピーク波長をλ４［ｎｍ］とし、ピーク波長λ１における光強度を１とするとき、ピーク波長λ４における光強度が０．３以上０．５以下であり、５４０〜７００ｎｍの波長領域における光量子束に対する、４２０〜４９０ｎｍの波長領域における光量子束の割合が、１０％以上２０％以下であることを特徴とする。
【発明の効果】
【０００８】
本発明の一つの態様による光合成促進光源によれば、植物および藻類など光合成色素を有する生物において行われる光合成に好適な光を発する光源が実現される。
【図面の簡単な説明】
【０００９】
【図１】本発明の一実施形態に係る光合成促進光源の外観斜視図である。
【図２】図１に示す光合成促進光源を仮想線で示す平面で切断したときの断面図である。
【図３】一実施例に係る光合成促進光源の発光スペクトルを示す図である。
【図４】本発明に係る光合成促進光源を備える照明装置の外観斜視図である。
【図５】図４に示す照明装置の分解斜視図である。
【図６】図４に示す照明装置の筐体から透光性基板を取り外した状態を示す斜視図である。
【図７】図４に示す照明装置を用いて構築されている植物工場の一例を概略的に示す斜視図である。
【図８】図７に示す植物工場を図７の左方から見た状態を示している図である。
【図９】図４に示す照明装置を用いて構築されている植物工場の他の例を概略的に示す斜視図である。
【図１０】図９に示す植物工場を図７の左方から見た状態を示している図である。
【発明を実施するための形態】
【００１０】
以下に添付図面を参照して、本発明に係る光合成促進光源の実施形態を説明する。なお、本発明は以下の実施形態に限定されないものとする。
【００１１】
＜光合成促進光源の構成＞
図１は、本発明の一実施形態に係る光合成促進光源の外観斜視図である。図２は、図１に示す光合成促進光源を仮想線で示す平面で切断したときの断面図である。
【００１２】
光合成促進光源１は、基板２と、基板２上に設けられた発光素子３と、基板２上に発光素子３を取り囲むように設けられた枠体４と、枠体４で囲まれた内側の空間に上部の一部を残して充填された封止部材５と、枠体４で囲まれた内側の空間の上部の一部に、封止部材５の上面に沿って枠体４内に収まるように設けられた波長変換部材６と、を備えている。なお、発光素子３は、例えば、発光ダイオード（ＬＥＤ）であって、半導体を用いたｐｎ接合中の電子と正孔が再結合することによって、外部に向かって光を放出する。
【００１３】
基板２は、絶縁性の基板であって、例えば、アルミナまたはムライト等のセラミック材料、あるいはガラスセラミック材料等からなる。または、これらの材料のうち複数の材料を混合した複合系材料から成る。また、基板２は、基板２の熱膨張を調整することが可能な金属酸化物微粒子を分散させた高分子樹脂を用いることができる。
【００１４】
基板２は、基板２の内外を電気的に導通する配線導体が形成されている。配線導体は、例えば、タングステン、モリブデン、マンガンまたは銅等の導電材料からなる。基板２がセラミック材料から成る場合は、例えば、タングステン等の粉末に有機溶剤を添加して得た金属ペーストを、基板２となるセラミックグリーンシートに所定パターンで印刷し、複数のセラミックグリーンシートを積層して、焼成することにより得られる。なお、配線導体の表面には、酸化防止のために、例えば、ニッケルまたは金等の鍍金層が形成されている。また、基板２の上面には、基板２上方に効率良く光を反射させるために、配線導体および鍍金層と間を空けて、例えば、アルミニウム、銀、金、銅またはプラチナ等の金属反射層を形成する。
【００１５】
発光素子３は、基板２上に実装される。発光素子３は、基板２上に形成される配線導体の表面に被着する鍍金層上に、例えば、ろう材または半田を介して電気的に接続される。発光素子３は、透光性基体と、透光性基体上に形成される光半導体層とを有している。透
光性基体は、有機金属気相成長法または分子線エピタキシャル成長法等の化学気相成長法を用いて、光半導体層を成長させることが可能なものであればよい。透光性基体に用いられる材料としては、例えば、サファイア、窒化ガリウム、窒化アルミニウム、酸化亜鉛、セレン化亜鉛、シリコンカーバイド、シリコンまたは二ホウ化ジルコニウム等を用いることができる。なお、透光性基体の厚みは、例えば５０μｍ以上１０００μｍ以下である。
【００１６】
光半導体層は、透光性基体上に形成される第１半導体層と、第１半導体層上に形成される発光層と、発光層上に形成される第２半導体層とから構成されている。第１半導体層、発光層および第２半導体層は、例えば、ＩＩＩ族窒化物半導体、ガリウム燐またはガリウムヒ素等のＩＩＩ−Ｖ族半導体、あるいは、窒化ガリウム、窒化アルミニウムまたは窒化インジウム等のＩＩＩ族窒化物半導体などを用いることができる。なお、第１半導体層の厚みは、例えば１μｍ以上５μｍ以下であって、発光層の厚みは、例えば２５ｎｍ以上１５０ｎｍ以下であって、第２半導体層の厚みは、例えば５０ｎｍ以上６００ｎｍ以下である。また、このように構成された発光素子３は、例えば３７０ｎｍ以上４２０ｎｍ以下の波長範囲の励起光を発することができる。
【００１７】
枠体４は、例えば、酸化アルミニウム、酸化チタン、酸化ジルコニウムまたは酸化イットリウム等のセラミック材料、あるいは多孔質材料、あるいは酸化アルミニウム、酸化チタン、酸化ジルコニウムまたは酸化イットリウム等の金属酸化物からなる粉末を混合させた樹脂材料から成る。枠体４は、基板２上面に積層されて、例えば樹脂等を介して接続されている。枠体４は、発光素子３と間を空けて、発光素子３を取り囲むように設けられている。また、枠体４は、傾斜する内壁面が下端から上端に従い外方に向かって広がるように形成されている。そして、枠体４の内壁面が、発光素子３から発せられる励起光の反射面として機能する。なお、平面視して、枠体４の内壁面の形状を円形とすると、発光素子３が発光する光を反射面にて全方向に反射させることができる。
【００１８】
また、枠体４の傾斜する内壁面は、例えば、焼結材料からなる枠体４の内周面にタングステン、モリブデン、銅または銀等から成る金属層と、金属層を被覆するニッケルまたは金等から成る鍍金金属層を形成してもよい。この鍍金金属層は、発光素子３の発する光を反射させる機能を有する。なお、枠体４の内壁面の傾斜角度は、基板２の上面に対して例えば５５度以上７０度以下の角度に設定されている。
【００１９】
枠体４で囲まれる内側の空間には、光透過性の封止部材５が充填されている。封止部材５は、発光素子３を封止するとともに、発光素子３から発せられる光が透過する機能を備えている。封止部材５は、枠体４で囲まれる内側の空間内に、枠体４で囲まれる空間の一部を残して充填されている。封止部材５は、例えば、シリコーン樹脂、アクリル樹脂またはエポキシ樹脂等の透光性の絶縁樹脂が用いられる。封止部材５の屈折率は、例えば１．４以上１．６以下に設定されている。
【００２０】
波長変換部材６は、枠体４で囲まれた内側の空間の上部に、封止部材５の上面に沿って設けられている。波長変換部材６は、枠体４内に収まるように形成されている。波長変換部材６は、発光素子３の発する光の波長を変換する機能を有している。波長変換部材６は、発光素子３から発せられる光が内部に入射して、内部に含有される蛍光体７が励起されて、光を発するものである。波長変換部材６は、例えば、フッ素樹脂、シリコーン樹脂、アクリル樹脂またはエポキシ樹脂等の透光性の絶縁樹脂、透光性のガラスからなり、その絶縁樹脂、ガラス中に、蛍光体７が含有されている。蛍光体７は、波長変換部材６中に均一に分散するようにしている。
【００２１】
＜蛍光体について＞
波長変換部材６中に含有される蛍光体７としては、光合成促進光源１から発せられる光
のスペクトルが光合成に好適なスペクトルとなるように、例えば４２０ｎｍ以上４９０ｎｍ以下の蛍光を発する青色蛍光体、例えば４９０ｎｍ以上５３９ｎｍ以下の蛍光を発する緑色蛍光体、例えば５４０ｎｍ以上７００ｎｍ以下の蛍光を発する赤色蛍光体の中から一または複数の蛍光体が選択される。
【００２２】
光合成に好適な光のスペクトルとしては、少なくとも次の要件を満たしていることが重要である。すなわち、６１０〜６３０ｎｍの波長領域において、光強度が全波長領域に関して最大となるピークを有しており、そのピーク波長をλ１［ｎｍ］とし、ピーク波長λ１における光強度の５０％の光強度となる、ピーク波長λ１よりも短波長側でピーク波長λ１に最も近い波長をλ２［ｎｍ］およびピーク波長λ１よりも長波長側でピーク波長λ１に最も近い波長をλ３［ｎｍ］とするとき、λ１−７０［ｎｍ］≦λ２≦λ１−３０［ｎｍ］、およびλ１＋３０［ｎｍ］≦λ３≦λ１＋７０［ｎｍ］の関係を満たしていることが重要である。なお、ピーク波長λ１は、６１５ｎｍ以上６２５ｎｍ以下の範囲内にあることがより好ましい。また、赤色蛍光体からの光の波長領域５４０〜７００ｎｍにおける光量子束に対する、６１０〜６３０ｎｍの波長領域における光量子束の割合が、１５％以上２５％以下であることがより好ましい。
【００２３】
上記の要件を満たすことにより、光合成促進光源１から発せられる光において、光合成に必要な赤色光の波長範囲５４０〜７００ｎｍに関して、特定の波長の光が過剰に含まれることを回避しつつ、光合成にはあまり寄与しない近赤外線が含まれる割合を低減することができ、近赤外線に起因する光合成の速度の低下を抑制することができる。
【００２４】
また、λ１とλ２との差分の絶対値よりも、λ１とλ３との差分の絶対値の方が大きいことが好ましい。これにより、McCree(1972)とInada（1976）とによって示されている、
６１種類の植物の光合成作用曲線の平均値として求めた光合成作用曲線における、赤色光の波長領域でのピーク波長である６７０ｎｍ近傍の光が含まれる割合を増大させることができる。
【００２５】
また、光合成に好適な光のスペクトルとしては、光合成に必要な青色光の波長範囲４２０〜４９０ｎｍにおいてピークを有しており、そのピーク波長をλ４［ｎｍ］とし、ピーク波長λ１における光強度を１とするとき、ピーク波長λ４における光強度が０．３以上０．５以下であり、赤色蛍光体からの光の波長領域５４０〜７００ｎｍにおける光量子束に対する、青色蛍光体からの光の波長領域４２０〜４９０ｎｍにおける光量子束の割合が、１０％以上２０％以下であることが好ましい。これにより、光合成に必要な赤色光と青色光とのバランスを良好なものとすることができる。
【００２６】
さらに、光合成に好適な光のスペクトルとしては、緑色蛍光体からの光、すなわち４９０〜５４０ｎｍの波長領域の光が適度に含まれていることが好ましい。具体的には、ピーク波長λ１における光強度を１とするとき、緑色蛍光体からの光の波長領域４９０〜５４０ｎｍにおける光強度の平均値が０．１以上であることが好ましく、０．３以上であることが特に好ましい。
【００２７】
また、緑色蛍光体からの光に関しては、赤色蛍光体からの光の波長領域５４０〜７００ｎｍにおける光量子束に対する、緑色蛍光体からの光の波長領域４９０〜５４０ｎｍにおける光量子束の割合が、５％以上１５％以下であることがより好ましく、青色蛍光体からの光の波長領域４２０〜４９０ｎｍにおける光量子束に対する、緑色蛍光体からの光の波長領域４９０〜５４０ｎｍにおける光量子束の割合が、４５％以上６５％以下であることがさらに好ましい。
【００２８】
葉の光合成組織は、葉の表側の柵状組織と葉の裏側の海綿状組織とに分化しており、赤
色光および青色光は、葉の表側の柵状組織における葉緑体で吸収されて光合成に寄与する。一方で、緑色光は、葉緑体では吸収されにくいが、葉の表側の柵状組織を透過して葉の裏側の海綿状組織に届いた緑色光は、海綿状組織において散乱等を繰返すうちに葉緑体で吸収されて光合成に寄与することが知られている。したがって、緑色光も適度に含まれていることが好ましく、上記のような割合で緑色光が含まれていることにより、赤色光と青色光と緑色光とのバランスを、光合成に好適なバランスとすることができる。
【００２９】
なお、光合成促進光源１から出射される光には、発光素子３が発する近紫外領域の励起光も含まれることとなる。この場合、光合成に好適な光のスペクトルとしては、３８０〜４２０ｎｍの波長領域においてピークを有しており、そのピーク波長をλ５［ｎｍ］とし、ピーク波長λ１における光強度を１とするとき、ピーク波長λ５における光強度が０．２以上０．４以下であり、５４０〜７００ｎｍの波長領域における光量子束に対する、３８０〜４２０ｎｍの波長領域における光量子束の割合が、１％以上１０％以下であることが好ましい。
【００３０】
また、光合成促進光源１から出射される光の色温度は１９００〜２１００Ｋの範囲であり、平均演色評価数Ｒａは７０〜７５の範囲であり、ＣＩＥ色度座標ｘ、ｙは、０．４≦ｘ≦０．５および０．３≦ｙ≦０．４の関係を満たしていることが好ましい。
【００３１】
以上で挙げた各要件を満たす蛍光体７の一例を挙げると、青色蛍光体として（Ｓｒ，Ｃａ，Ｂａ）１０（ＰＯ４）６Ｃｌ２：Ｅｕを用い、緑色蛍光体として（Ｓｒ，Ｂａ，Ｍｇ）２ＳｉＯ４：Ｅｕ２＋を用い、赤色蛍光体として（Ｓｒ,Ｃａ）ＡｌＳｉＮ３：Ｅｕを
用い、青色蛍光体と緑色蛍光体と黄色蛍光体と赤色蛍光体との配合比を、３：１：４６とすることによって実現できる。
【００３２】
図３は、上記の一例による蛍光体７を波長変換部材６中に均一に分散することによって構成された光合成促進光源１の発光スペクトルＳを示している。図３に示される発光スペクトルＳによれば、赤色蛍光体からの光の波長領域におけるピーク波長λ１が約６１６ｎｍであり、波長λ２が約５７８ｎｍであり、波長λ３が約６７７ｎｍであり、その発光ピークの半値幅は約１００ｎｍである。また、λ１とλ２との差分の絶対値（約３８ｎｍ）よりも、λ１とλ３との差分の絶対値（約６１ｎｍ）の方が大きくなっている。さらに、赤色蛍光体からの光の波長領域５４０〜７００ｎｍにおける光量子束に対する、６１０〜６３０ｎｍの波長領域における光量子束の割合は約２０％となっている。
【００３３】
また、青色蛍光体からの光の波長領域におけるピーク波長λ４が約４５３ｎｍであり、ピーク波長λ１における光強度を１とするとき、ピーク波長λ４における光強度は約０．４１となっており、赤色蛍光体からの光の波長領域５４０〜７００ｎｍにおける光量子束に対する、青色蛍光体からの光の波長領域４２０〜４９０ｎｍにおける光量子束の割合は約１５％となっている。
【００３４】
また、緑色蛍光体からの光に関しては、ピーク波長λ１における光強度を１とするとき、緑色蛍光体からの光の波長領域４９０〜５４０ｎｍにおける光強度の平均値は約０．２１となっている。さらに、赤色蛍光体からの光の波長領域５４０〜７００ｎｍにおける光量子束に対する、緑色蛍光体からの光の波長領域４９０〜５４０ｎｍにおける光量子束の割合は約８．５％となっており、また、青色蛍光体からの光の波長領域４２０〜４９０ｎｍに対する、緑色蛍光体からの光の波長領域４９０〜５４０ｎｍにおける光量子束の割合は約５６％となっている。
【００３５】
さらに、近紫外領域の光に関しては、ピーク波長λ５が約４０６ｎｍであり、ピーク波長λ１における光強度を１とするとき、ピーク波長λ５における光強度は約０．３６とな
っている。
【００３６】
この実施例による光合成促進光源１を６０ｍＡの電流で点灯させたときの放射束は６８．５１６ｍＷであり、光束は１４．７１１ｌｍｓであり、色温度は２０２８Ｋであり、平均演色評価数Ｒａは７３．１６であり、ＣＩＥ色度座標の色度ｘが０．４５６２および色度ｙが０．３２３１であった。
【００３７】
上記の実施例による光合成促進光源１を用いて植物の育成試験を行った結果、育成植物に矮化およびチップバーンは発生せず、育成植物の生育は良好なものであった。
【００３８】
本発明に係る光合成促進光源は、植物工場あるいは植物を育成するための装置などにおいては、それを複数個配列して構成される照明装置の形態で利用される。以下に添付図面を参照して、本発明に係る光合成促進光源を備える照明装置の一例を説明する。
【００３９】
＜照明装置の構成＞
図４は、本発明に係る光合成促進光源を備える照明装置の外観斜視図であり、図５は、図４に示す照明装置の分解斜視図である。図６は、図４に示す照明装置の筐体から透光性基板を取り外した状態を示す斜視図である。
【００４０】
照明装置１０は、上方に開口している長尺の筐体１１と、筐体１１内に長手方向に沿ってライン状に複数個配列された光合成促進光源１と、複数の光合成促進光源１が実装される長尺の配線基板１２と、筐体１１によって支持され、筐体１１の開口を閉塞する長尺の透光性基板１３とを備えている。
【００４１】
筐体１１は、透光性基板１３を保持する機能と、光合成促進光源１の発する熱を外部に放散させる機能とを有している。筐体１１は、例えば、アルミニウム、銅またはステンレス等の金属、プラスチックまたは樹脂等から構成される。筐体１１は、長手方向に延びる底部２１ａ、および底部２１ａの幅方向の両端部から立設し、長手方向に延びる一対の支持部２１ｂを有し、上方および長手方向の両側で開口している長尺の本体部２１と、本体部２１における長手方向一方側および他方側の開口をそれぞれ閉塞する２つの蓋部２２とから成っている。各支持部２１ｂの上部には、透光性基板１３を保持するための凹所が互いに対向するように形成された保持部が設けられている。筐体１１は、長手方向の長さが、例えば、１００ｍｍ以上２０００ｍｍ以下に設定されている。
【００４２】
配線基板１２は、筐体１１内の底面に固定される。配線基板１２は、例えば、リジッド基板、フレキシブル基板またはリジッドフレキシブル基板等のプリント基板が用いられる。配線基板１２の配線パターンと光合成促進光源１における基板２の配線パターンとが、半田または導電性接着剤を介して電気的に接続される。そして、配線基板１２からの信号が基板２を介して発光素子３に伝わり、発光素子３が発光する。なお、配線基板１２には、外部に設けられた電源から配線を介して電気が供給される。
【００４３】
透光性基板１３は、光合成促進光源１から発せられる光が透過する材料からなり、例えば、アクリル樹脂またはガラス等の光透過性材料から構成される。透光性基板１３は、矩形状の板体であって、長手方向の長さが、例えば、９８ｍｍ以上１９９８ｍｍ以下に設定されている。透光性基板１３は、本体部２１における長手方向一方側または他方側の開口から、各保持部に形成されている凹所内に挿し込み、長手方向に沿ってスライドさせることにより、複数の光合成促進光源１から離間した位置で、一対の支持部２１ｂによって支持される。そして、本体部２１における長手方向一方側および他方側の開口を蓋部２２で閉塞することにより、照明装置１０は構成される。
【００４４】
このようにして構成される照明装置１０を利用して構築された植物工場の例を、添付図面を参照して以下に説明する。図７は、図４に示す照明装置を用いて構築された植物工場の一例を概略的に示す斜視図であり、図８は、図７に示す植物工場を図７の左方から見た状態を示している図である。また、図９は、図４に示す照明装置を用いて構築された植物工場の他の例を概略的に示す斜視図であり、図１０は、図９に示す植物工場を図７の左方から見た状態を示している図である。
【００４５】
図７〜図１０において、３１は、育成される植物（以下、「育成植物」という）を示しており、３２は、育成植物３１が適度に間隔を空けて定植された長尺の栽培トレイを示している。また、図７および図９において、３３は、各照明装置１０に電力を供給する電源を示しており、図８および図１０において、３４は、照明装置１０を支持するための支持体を示している。育成植物３１は、たとえばサニーレタスである。栽培トレイ３２には、育成植物３１用の肥料が溶け込んだ肥料溶液が満たされている。
【００４６】
植物工場では、複数の栽培トレイ３２が適度に間隔をあけて互いに平行となるように設置され、栽培トレイ３２の上方に設けられた支持体３４に、透光性基板１３が下方に臨むような姿勢で、複数の照明装置１０が適度に間隔をあけて互いに平行となるように設置される。複数の照明装置１０は、たとえば図７〜図１０に示すように、栽培トレイ３２の延びる方向に対して直交する方向に延びるように設置される。また、複数の照明装置１０は、図７および図８に示すように育成植物３１に近接して配設されてもよく、図９および図１０に示すように育成植物３１からある程度の距離を離して配設されてもよい。
【００４７】
このようにして構築された植物工場では、太陽光を一切利用せず、１日当たり１４時間程度、電源３３から供給される電力によって、各照明装置１０に搭載されている光合成促進光源１を発光させて、その光を育成植物３１に照射することにより、育成植物３１の育成が行われる。
【００４８】
上記のように、照明装置１０に搭載される光源として光合成促進光源１を使用することにより、育成植物３１の育成を良好なものとすることができる。
【００４９】
＜蛍光体の他の例＞
本発明に係る光合成促進光源１に利用可能な青色蛍光体、緑色蛍光体、赤色蛍光体のその他の材料を以下に例示する。
【００５０】
青色蛍光体としては、ＢａＭｇＡｌ１０Ｏ１７：Ｅｕ、（Ｓｒ，Ｃａ）５（ＰＯ４）６Ｃｌ：Ｅｕ、緑色蛍光体としては、（Ｂａ，Ｓｒ）ＭｇＡｌ１０Ｏ１７：Ｅｕ，Ｍｎ、ＳｒＡｌ２Ｏ４：Ｅｕ２＋、（Ｓｒ，Ｂａ）ＳｉＯ４：Ｅｕ２＋、赤色蛍光体としては、（Ｌａ２Ｏ２Ｓ：Ｅｕ）、ＺｎＳ：Ｃｕ、Ｍｎ等の蛍光体が利用可能である。
【符号の説明】
【００５１】
１  光合成促進光源
２  基板
３  発光素子
４  枠体
５  封止部材
６  波長変換部材
７  蛍光体
【図１】
0006401047.tif 000002
【図２】
0006401047.tif 000003
【図３】
0006401047.tif 000004
【図４】
0006401047.tif 000005
【図５】
0006401047.tif 000006
【図６】
0006401047.tif 000007
【図７】
0006401047.tif 000008
【図８】
0006401047.tif 000009
【図９】
0006401047.tif 000010
【図１０】
0006401047.tif 000011